(57)【要約】【課題】携帯に便利なように薄型で軽量かつ丈夫であり、部品が少なく、生産コストも安価に抑える構造の眼鏡フレームの製造法と該フレームで組み立てた眼鏡を提供することである。【解決手段】金属製フレームの眼鏡において、（１）金属薄板を下リム、ブリッジ、テンプルを一体で、かつ前記テンプルと下リムの折り曲げ接続部にスリットを、そして上リムを左右分離で、それぞれ打ち抜きないしは裁断により成形し、（２）前記下リムのブリッジ寄りとテンプル寄りにレンズ固定用嵌合係止部を、前記上リムの上記レンズ固定用嵌合係止部に対応する位置にレンズ固定用嵌合係止部を設け、周縁に溝を刻んだ眼鏡レンズの溝に前記下リムおよび前記上リムをはめ込み、前記上リムと前記下リムを対応するレンズ固定用嵌合係止部を嵌合させてレンズを固定したことを特徴とする薄板金属製フレーム眼鏡であるとする。【選択図】　図１
2004109741.tif 000002
【特許請求の範囲】
【請求項１】
金属製フレームの眼鏡において、
（１）金属薄板を下リム、ブリッジ、テンプルを一体で、かつ前記テンプルと下リムの折り曲げ接続部にスリットを、そして上リムを左右分離で、それぞれ打ち抜きないしは裁断により成形し、
（２）前記下リムのブリッジ寄りとテンプル寄りにレンズ固定用嵌合係止部を、前記上リムの上記レンズ固定用嵌合係止部に対応する位置にレンズ固定用嵌合係止部を設け、周縁に溝を刻んだ眼鏡レンズの溝に前記下リムおよび前記上リムをはめ込み、前記上リムと前記下リムを対応するレンズ固定用嵌合係止部を嵌合させてレンズを固定したことを特徴とする薄板金属製フレーム眼鏡。
【請求項２】
溝付きノーズパッドを前記下リムに嵌合固定したことを特徴とする請求項１記載の薄板金属製フレーム眼鏡。
【請求項３】
前記薄板金属がニッケルチタン合金であることを特徴とする請求項１または請求項２記載の薄板金属製フレーム眼鏡。
【発明の詳細な説明】
【０００１】
【発明が属する技術分野】
本発明は、金属製フレームを用いた眼鏡に関する。
【０００２】
【従来の技術】
【特許文献１】特開２０００−２４９９８８号公報
【特許文献２】特開平０８−３０４７４２号公報
【０００３】
眼鏡は多くの部品から構成されている。眼鏡の種類によっても異なるが、一般に眼鏡の主要部品として、レンズ、レンズを固定するためのリム、左右のレンズを連結するブリッジ、眼鏡を安定させる目的と眼鏡の縁（フロント枠）が鼻に当たるときの当たりを和らげるパッド、パッドとフロント枠を連結するパッド足、眼鏡を顔に安定させるためのテンプル、テンプルとフロント枠をつなげるチ（智）、テンプルエンド部（耳に掛ける部分）が耳に当たるときの衝撃を和らげるモダン、テンプルのヒンジ機構を構成する丁番などがある。それぞれの部品を連結するために、ネジ留め、ロー付け、接着剤留め、嵌合、かしめ、錨留めなど、眼鏡の部位や種類によってさまざまな方法が採られている。
【０００４】
眼鏡の使用目的は視力の矯正が本来的なものであるが、伊達眼鏡といわれるようにお洒落のためや、サングラスのように太陽光線から目を守るものなど、使用目的も一つではない。軽量化を図るために部品を減らしたり、逆に豪華さを演出するために眼鏡本来の目的とは違う装飾部品を付け加えたり、視野を広げるためにレンズの縁（リム）をなくしたりして、それぞれの目的に合わせた、さまざまな眼鏡が作られている。
【０００５】
眼鏡部品を減らすことによって、低コスト化、軽量化、組立工程の簡素化などのメリットが得られる。低コストの眼鏡には合成樹脂製の、リムとブリッジを一体構造で成形したフロント枠（前枠）のものが多い。『一体構造の薄型眼鏡フロント枠、ならびに同眼鏡フロント枠の打抜き捩り加工による製造方法』（特許文献１）では、強靭で薄型・軽量の眼鏡フロント枠と、フロント枠製造工程の能率化を目的とした眼鏡枠製造方法について触れられている。この公開特許では、金属板を打ち抜いてフロント枠（左右のリム、ブリッジ、チ＜公報ではブラケットと表記＞が一体の枠）を製造し、同様にテンプルも同じ金属を打ち抜いて製造している。ブラケットは切断されていて、リムを上下にわずかに開くことができ、周縁に溝が付いたレンズの該溝にリムを嵌合させ、ブラケットを閉じてレンズをリムに固定する。さらにブラケットでテンプルとヒンジ連結することによって、眼鏡を組み立てている。
【０００６】
『眼鏡枠用繊維強化材及びその製造法』（特許文献２）では、高強度の繊維を組ひも状に組織し、眼鏡枠全体（リム、ブリッジ、テンプル）を前記の組ひもで一体形成した眼鏡枠の製造方法について触れられている。
【０００７】
【発明が解決しようとする課題】
老眼は年齢とともに進む。近視と違って老眼は、通常眼鏡を必要としない（近視でも老眼になるが、ここでは遠視について述べている）。最近は遠近両用の眼鏡もあるが、通常、常時眼鏡を掛けることに抵抗がある。老眼になりたてのころは、小さい文字や細かな部分を見るときだけ、眼鏡を使わずにルーペを使う人も多い。しかし遠視の度数が進むに連れて、ルーペでは不便になり、眼鏡を使わざるを得なくなる。ただ近視の人と違って、度数のあまり進んでいない遠視の人は、文字や細かな個所を見るときだけ必要なため、携帯電話のように眼鏡を懐にしまって持ち歩く。
【０００８】
常時掛けているものでないから、よく忘れる。家に居るときでも、部屋から部屋へと持ち運ぶことは少ない。このため、一つの眼鏡では置き忘れて捜しまわることが多くなる。最近は眼鏡が安くなったこともあり、複数の眼鏡をそれぞれの場所に置いて使用する人も増えている。例えば居間用、書斎用、寝室用、携帯用などいくつかの老眼鏡を用意する。このようにすれば、眼鏡をいちいちほかの部屋に取りに行く必要もないし、外出するときに忘れることもなくなる。
【０００９】
本発明が解決しようとする課題は、携帯に便利なように薄型で軽量かつ丈夫であり、部品が少なく、生産コストも安価に抑える構造の眼鏡フレームの製造法と該フレームで組み立てた眼鏡を提供することである。
【００１０】
【課題を解決するための手段】
上記の課題を解決するために、請求項１に記載された発明は、金属製フレームの眼鏡において、（１）金属薄板を下リム、ブリッジ、テンプルを一体で、かつ前記テンプルと下リムの折り曲げ接続部にスリットを、そして上リムを左右分離で、それぞれ打ち抜きないしは裁断により成形し、（２）前記下リムのブリッジ寄りとテンプル寄りにレンズ固定用嵌合係止部を、前記上リムの上記レンズ固定用嵌合係止部に対応する位置にレンズ固定用嵌合係止部を設け、周縁に溝を刻んだ眼鏡レンズの溝に前記下リムおよび前記上リムをはめ込み、前記上リムと前記下リムを対応するレンズ固定用嵌合係止部を嵌合させてレンズを固定したことを特徴とする薄板金属製フレーム眼鏡である。
【００１１】
請求項２に記載された発明は、溝付きノーズパッドを前記下リムに嵌合固定したことを特徴とする請求項１記載の薄板金属製フレーム眼鏡である。
【００１２】
請求項３に記載された発明は、前記薄板金属がニッケルチタン合金であることを特徴とする請求項１または請求項２記載の薄板金属製フレーム眼鏡である。
【００１３】
本発明では、薄型の金属を加工して、部品点数を少なくし、ネジ留め、ロー付け、接着剤使用等が不要な眼鏡構造にする。そのために薄板金属を剪断して、下リム、ブリッジ、テンプルを一体で成形し、眼鏡レンズを下リムとともに固定する上リムを分離形で成形する。剪断の方法としては、金属板を打ち抜き（型抜きプレス）あるいは裁断（レーザーなどを用いたＮＣ＜数値制御＞による裁断等）などの方法を用いる。
【００１４】
本発明の眼鏡フレームは、薄い金属板より成形する。成形には打ち抜きや裁断という方法がある。一つの眼鏡を製作する際の金属板から切り取る部品は、下リム、ブリッジおよびテンプルが一体化した主要部と、レンズを固定するための上リム（左右で２点）の計３点からなる。下リムはブリッジでつながった形で切り取られるためにブリッジとリムとのつなぎ工程は不要である。テンプルと下リムも一体で切り取るために、リムロックやチは不要であり、またリムとテンプルを連結する工程も不要である。
【００１５】
レンズを固定しやくするために上リムは分離形で成形する。レンズをリムで安定的に固定するために、レンズ周縁に溝を刻んでおき、レンズ周縁の溝に上リムと下リムをはめ込み、上リムと下リムで押さえる形で固定する。しかしこの状態では上リムと下リムが固定されないので、下リムの両端（ブリッジ側とテンプル側の２個所、左右下リムでは計４箇所）に嵌合係止部として溝孔などを、上リムの両端には凸部などを設け、両者を嵌合して上リムと下リムが離れないようにする。
【００１６】
ブリッジは下リムと一体で成形されている。ブリッジは金属製であるために、長時間直接鼻に当たり続けると痛くなることもある。そこで、ブリッジの周縁形状に沿ってノーズパッドを取り付けることもできる。取り付け方はノーズパッドにブリッジに差し込むための溝を成形しておき、溝をブリッジの縁に差し込む方法がある。
【００１７】
テンプルは下リムと一体で成形されている。テンプルは、折曲げることによって顔を挟んで眼鏡を顔に固定するものである。金属の弾性力のみを利用したもので、未使用時（顔から外した時）は弾性力（金属のバネ力）で折り畳み状態になる。すなわち、テンプルと下リムのつなぎのスリットを入れた部分が、バネヒンジ機構を形成している。テンプルと下リムとのつなぎの部分が板状で、テンプルを開くときに捻れが生じるので、テンプルと下リムの連結部にいくつかのスリットを入れ、ねじれやすくしてある。
【００１８】
本発明の眼鏡は、折り畳み時は極力薄型の眼鏡にし、携帯時やしまうときに便利なものとする。眼鏡に組み立てたときに、テンプルが上リムの周縁に接した状態で重なることが好ましい。言い換えれば、折り畳みの状態ではテンプル、上リム、レンズ、下リムが隙間なく同一平面上に並ぶようにデザインすることが理想的である。そのために、上リムと下リムでレンズを固定したとき、テンプルが上リムの上側の縁に沿って重なる状態になるように、テンプルを剪断する。なお上記のような剪断の結果、テンプルの折り畳み時、左右のテンプルエンドが接する状態になる。
【００１９】
従ってテンプルは、通常の眼鏡に比べて若干短くなる。テンプルエンドが耳朶の一部に掛かる程度の長さで、基本的に金属の弾性力で顔を挟む形で眼鏡を顔に安定させる構造である。そのため、金属部分が肌に直接当たると肌触りがよくなかったり、また滑りやすくなる。そこでテンプルのこめかみに当たる辺りを広めに成形し、しかも内部をくり貫き、くり貫いた部分にパッドをはめ込む。パッドの素材としてはゴムやシリコン樹脂などのような合成樹脂を用いる。
【００２０】
金属板としてはさまざまな素材が考えられるが、薄板でも丈夫でアレルギーを起こさない素材としてニッケルチタン合金（ＮＴ材）が適している。ＮＴ材は弾力があり、錆にも強く、軽量であるという点も本発明の主旨を達成するためには、最適な素材である。
【００２１】
【発明の実施の形態】
本発明の実施の形態を図を用いて説明する。図１は、本発明の薄板金属製フレーム眼鏡の構成部品を示す図である。金属製の薄板から下リム１、テンプル３、ブリッジ４を一体で剪断し、上リム２は同金属板から剪断する。剪断方法としては、プレスによる型抜きやＮＣによる裁断などが利用できる。この図には載せていないが、この他この眼鏡に必要な部品としては、テンプル用パッドとレンズのみである。ノーズパッド５は鼻に当たる部分で、シリコン系樹脂で作ったものが当たりの柔らさにおいて適している。テンプル用パッドもノーズパッドと同じ素材で製造し、テンプルパッド用孔３２０に差し込む。
【００２２】
レンズは下リムと上リムで挟み込んで固定する。図２は、レンズをリムに固定するときの様子を示した斜視図である。レンズ６の周縁に沿って溝６１０を彫っておき、レンズ下部の溝に下リム１を差し込み、レンズ上部の溝に上リム２を差し込む。ただしこのままの状態ではレンズは安定固定はできないために、上リム両端に凸部２１１、２１２を、下リム両端に溝孔１１１、１１２を設けて、上リムをレンズの溝に差し込むと同時に、凸部を溝孔に差し込む。以上により、レンズは上下のリムで安定固定される。
【００２３】
テンプル３と下リム１とは連結部３１０でつながっている。連結部はヒンジ機構を兼ねている。一枚の金属板の状態ではテンプルの開閉時に力がいるだけでなく、捻れが生じるために金属への負担が掛かる。そこで、図１に示したように、下リムからテンプルに移る連結部に隙間（スリット状空洞部３３０）を設けるとともに、連結部の曲がり部分に三日月状のスリット３１１と３１２を開けておく。外側のスリット３１１は内側のスリット３１２よりも構造上長くなる。図３は、テンプルを開いた状態を示している。テンプルを開いたとき、力が連結部に掛かるが、この力を切り欠き部（スリット部）が分散吸収するため、連結部に掛かる負荷が軽減される。またスリットがあるために、テンプルが開きやすくなる。顔に眼鏡を装着したとき、金属の弾性力によってテンプルが顔を挟む形となり、眼鏡が顔に安定装着される。顔から外せば、金属の弾性力で元の形状に戻る。すなわち連結部が形成するヒンジ機構は、金属の弾性力を利用したバネヒンジ機構である。図４は、テンプルを開いたときの状態を概念的に描いている。使用する金属の素材にもよるが、一般に弾性力のある薄型の金属の場合にはテンプル３は弓なりの状態で開く。テンプルを開放状態で顔に掛けて放すと、パッド用孔３２０（図１参照）の位置でテンプルが顔を押さえる状態になる。
【００２４】
図５は、本発明の眼鏡の完成図である。テンプル３は閉じた状態（折り畳み状態）で、テンプルは上リム２の上に、周縁に接した状態で重なる。すなわち、テンプルを閉じた状態では眼鏡の厚さは金属板とレンズの厚さだけの、極薄の眼鏡となる。図６は図５の溝孔１１１の部分での断面図で、上リム２の凸部２１１を直角に折り曲げて溝孔１１１に差し込んで上リムが抜けないようになっている。リムはレンズの溝に嵌合しているために、これでも十分にレンズを安定固定できる。より強固にするなら、図７のように凸部を少し長くし、溝孔からはみ出した部分を曲げれば、上リムと下リムが完璧に固定される。ＮＫ材を金属板として使用する場合には、厚さが０．２ｍｍ程度（プリペイドカード程度の厚さ）のもので十分に強度を保つことができるから、図７の出っ張り部分は気にならない。
【００２５】
図８は、図５においてレンズのほぼ中央部で切断したときの断面図である。下リム１と上リム２はレンズ６の周縁に刻んだ溝６１０に嵌合し、テンプル３は上リム２に接している。テンプルと上リムがすべての部分でぴたりと接する形状になるように、テンプルと上リムをデザインすることが好ましいが、部分によってはわずかに隙間が開いても構わない。
【００２６】
図５において、ノーズパッド５とテンプルパッド３２１は肌に当たる部分であり、ゴムや合成樹脂などの素材を用いた部品である。本発明においては、シリコン系樹脂が適している。図からも分かるように、テンプルは通常の眼鏡よりも短い。従って、テンプルを耳に掛けて安定させるというよりは、金属の弾性力で顔（こめかみの辺り）を挟んで装着する形になる。左右のテンプルパッドとノーズパッドの３点で眼鏡を顔に固定するために、テンプルパッド用孔を大きめにデザインし、摩擦力を増やす構造が好ましい。また肌への当たりを和らげ、しかも摩擦力を生み出す素材として、前記のシリコン系樹脂が適している。
【００２７】
【発明の効果】
本発明の薄板金属製フレーム眼鏡は部品点数が少なく、しかも小型軽量かつ薄型である点に特徴がある。部品点数は下リム・テンプル・ブリッジで１点、左右の上リムで２点、左右のレンズで２点、ノーズパッドが１点、左右テンプルパッドが２点の、計８点である。前者の３点すなわち眼鏡フレームは１枚の金属板で成形するために、打ち抜きや裁断で行えば、大量生産が容易である。部品の組立は左右レンズの固定、ノーズパッドおよび左右のテンプルパッドのはめ込みによる装着だけであるから、ネジ留め、ロー付け、かしめ、接着剤による接合などいっさい不要であり、いたって簡単に眼鏡を組み立てることができる（素人が部品だけを購入して眼鏡を組み立てることも可）。テンプルを開閉するヒンジ機構も金属の弾力性を利用した単純なものであるから、丁番やネジも必要ない。このため、いたって軽量で、かつ低コストの眼鏡を顧客に提供することができる。
【００２８】
ニッケルチタン合金（ＮＴ合金）を金属板として使用した場合には、板厚が０．２ｍｍ程度のものでも十分に強度が保てる。しかも弾力性に富んでいるために、下リムとテンプルを一体で切り抜いたフレームの連結部をバネヒンジ機構とすることができる。テンプルを閉じたときに、テンプルが上リムに接する状態になり、左右のテンプルエンドが接する状態になるために、ルーペのようなコンパクトな眼鏡となる。厚さはレンズと金属板の厚さ（基本的にレンズの厚さが最大の厚み）だけの、極薄の眼鏡であり、小型・軽量の持ち運びに便利な眼鏡になっている。
【００２９】
先に述べたように、老眼の人の場合、普段は眼鏡を掛けなくても不便はない。あれば邪魔になるが、なければ困るのも老眼鏡である。このため、老眼鏡はよく置き忘れる。家で使用して、そのまま家に置き忘れて眼鏡なしで出かけて苦労することも多い。この問題を解消するために、老眼の人は複数の眼鏡を持ち、家のどこそこ用、外出用などと決めて使用している。本発明の薄板金属製フレーム眼鏡は低コストであるから、複数購入しても経済的負担は少なく、複数購入してそれぞれの場所用に置いておくことが可能である。また極薄の小型軽量の眼鏡であるから、外出用の眼鏡は鞄に入れっぱなしにしておいても邪魔にならない。金属製のフレームで丈夫なため、最近多く出回っている安価なプラスチック製の眼鏡のようにヒンジ部ですぐに壊れるようなことも少ない。ルーペのような感覚で手軽に使え、しかも眼鏡として使用できるのも、本発明の薄板金属製フレーム眼鏡の魅力である。
【図面の簡単な説明】
【図１】本発明の薄板金属製フレーム眼鏡部品を説明するための平面図である。
【図２】本発明の薄板金属製フレーム眼鏡の下リムと上リムでレンズを固定する方法を説明するための斜視図である。
【図３】本発明の薄板金属製フレーム眼鏡のヒンジ機構を説明するための斜視図である。
【図４】本発明の薄板金属製フレーム眼鏡のテンプルを開いたときの、テンプルの形状を説明するための平面図（骨格のみを表した図）である。
【図５】本発明の薄板金属製フレーム眼鏡の完成状態を説明するための平面図である。
【図６】本発明の薄板金属製フレーム眼鏡において、上リムを下リムに固定する仕方を説明するための断面図である。
【図７】本発明の薄板金属製フレーム眼鏡において、上リムを下リムに固定する仕方を説明するための断面図である。
【図８】本発明の薄板金属製フレーム眼鏡のテンプルを閉じたときの、レンズ中央部付近で切断したときの断面図である。
【符号の説明】
１　　　　下リム
１１１　　溝孔
１１２　　溝孔
２　　　　上リム
２１１　　凸部
２１２　　凸部
３　　　　テンプル
３１０　　連結部（ヒンジ部）
３１１　　スリット
３１２　　スリット
３２０　　パッド用孔（空洞部）
３２１　　パッド（テンプル用パッド）
３３０　　スリット状空洞部
４　　　　ブリッジ
５　　　　ノーズパッド
６　　　　レンズ
６１０　　溝（レンズ周縁溝）
【図１】
2004109741.tif 000003
【図２】
2004109741.tif 000004
【図３】
2004109741.tif 000005
【図４】
2004109741.tif 000006
【図５】
2004109741.tif 000007
【図６】
2004109741.tif 000008
【図７】
2004109741.tif 000009
【図８】
2004109741.tif 000010